(57)【特許請求の範囲】
【請求項１】
映像音響コンテンツの記録再生を行う記録再生装置であって、
第１の記録媒体に対して、映像音響コンテンツの記録再生を行う第１の記録再生処理手段と、
第２の記録媒体に対して、映像音響コンテンツの記録再生を行う第２の記録再生処理手段と、
ユーザから、映像音響コンテンツの記録又は再生に関する指示を受け付ける操作入力手段と、
前記第１の記録再生処理手段と前記第２の記録再生処理手段とを用いた、前記第１の記録媒体から前記第２の記録媒体への映像音響コンテンツのダビング予約命令が前記操作入力手段から入力されたとき、前記第２の記録媒体の最大記録速度と前記映像音響コンテンツの容量とに応じて、当該ダビングに要する時間を算出する制御手段とを備え、
前記制御手段は、前記ダビングにおいて、前記第１の記録再生処理手段と前記第２の記録再生処理手段とを制御して、前記第１の記録媒体から映像音響コンテンツを前記第２の記録媒体に移動して前記第１の記録媒体に録画のための空き容量を作り、
前記制御手段は、さらに、前記第１の記録媒体から前記第２の記録媒体への前記ダビングに、トランスコードが必要か否かを判断し、トランスコードの必要があれば、前記トランスコードに要する変換時間に応じて、前記ダビングに要する時間を算出する
ことを特徴とする記録再生装置。
【請求項２】
前記記録再生装置は、さらに、
前記第１の記録再生処理手段と前記第２の記録再生処理手段との記録又は再生に関して、あらかじめ前記操作入力手段から入力された予約スケジュールを保持するスケジュール保持手段と、
前記制御手段の制御に従って、メッセージ画面を生成する画像生成手段とを備え、
前記制御手段は、受け付けられた前記ダビング予約命令と、算出された前記ダビングに要する時間とから、前記ダビングの実行時間の一部又は全部が、前記スケジュール保持手段に保持されている予約スケジュールのいずれかの実行時間と重複するか否かを判定し、重複すると判定した場合には、（１）重複する旨のメッセージ画面を生成する前記画像生成手段の制御と、（２）重複した前記予約スケジュールの実行とダビングの実行との調整との少なくとも一方を行なう
ことを特徴とする請求項１記載の記録再生装置。
【請求項３】
前記制御手段は、前記実行時間が重複すると判定した場合、前記ダビング予約命令を拒否し、他のダビング時間を指定するように促す旨を示すメッセージ画面を生成するよう前記画像生成手段を制御する
ことを特徴とする請求項２記載の記録再生装置。
【請求項４】
前記制御手段は、前記第１の記録媒体から前記第２の記録媒体への映像音響コンテンツのダビング予約命令が入力されると、前記スケジュール管理手段に保持されているスケジュールの空き時間を検索し、その空き時間に前記ダビング処理を実行することを決定し、前記画像生成手段を制御して、決定したダビング処理の開始時刻及び終了時刻を示すメッセージ画面を生成させる
ことを特徴とする請求項２記載の記録再生装置。
【請求項５】
前記制御手段は、前記ダビング予約命令が入力されると、ダビング先である前記第2の記録媒体の有無を検査し、前記第2の記録媒体がないと判定した場合には、前記画像生成手段を制御して、前記第2の記録媒体を装填するように促すメッセージ画面を生成させる
ことを特徴とする請求項２記載の記録再生装置。
【請求項６】
前記制御手段は、前記ダビング予約命令が入力されると、ダビング先である前記第2の記録媒体が前記映像音響コンテンツの記録に適したフォーマットがなされているか否かを検査し、前記第2の記録媒体がフォーマットされていないと判定した場合には、前記画像生成手段を制御して、前記第2の記録媒体をフォーマットするように促すメッセージ画面を生成させる
ことを特徴とする請求項２記載の記録再生装置。
【請求項７】
前記制御手段は、前記ダビング予約命令が入力されるとダビング先である前記第2の記録媒体の空き容量を検査し、前記第2の記録媒体の空き容量が前記ダビング予約命令を実行するために必要な容量よりも少ない場合には、前記画像生成手段を制御して、他の記録媒体を前記第2の記録媒体として装填するように促すメッセージ画面を生成させる
ことを特徴とする請求項２記載の記録再生装置。
【請求項８】
前記制御手段は、前記実行時間が重複しないと判定した場合、前記ダビング予約命令を新たな予約スケジュールとして前記スケジュール保持手段に保持させ、前記スケジュール保持手段に保持されている前記予約スケジュールのうち、ダビング予約されている映像音響コンテンツの削除命令が前記操作入力手段から入力されたとき、前記画像生成手段を制御して、前記削除命令に該当する映像音響コンテンツがダビング予約の対象である旨を示すメッセージ画面を生成させる
ことを特徴とする請求項２記載の記録再生装置。
【請求項９】
前記制御手段は、前記ダビングに要する時間を、前記映像音響コンテンツの容量と、前記第２の記録媒体の記録速度とに基づいて算出する
ことを特徴とする請求項１記載の記録再生装置。
【請求項１０】
前記記録再生装置は、さらに、
映像音響コンテンツのデータ形式を第１の記録媒体又は第２の記録媒体への記録に適した形式に変更するデータ形式変更手段を備え、
前記制御手段は、前記ダビングに要する時間を、さらに、前記映像音響コンテンツのデータ形式の変更に要する時間に基づいて算出する
ことを特徴とする請求項１記載の記録再生装置。
【請求項１１】
前記記録再生装置は、さらに、
外部から放送データ、通信データまたは外部機器からのデータとして、映像音響コンテンツを受信する外部入力手段を備え、
前記第１の記録再生処理手段は、受信された前記映像音響コンテンツを前記第１の記録媒体に録画する
ことを特徴とする請求項１記載の記録再生装置。
【請求項１２】
前記制御手段は、前記ダビング予約命令が入力されるとダビング先である前記第2の記録媒体の空き容量を検査し、前記第2の記録媒体の空き容量が前記ダビング予約命令を実行するために必要な容量よりも少ない場合には、前記画像生成手段を制御して、前記第2の記録媒体に既に記録されている映像音響コンテンツの一覧を表示し、前記コンテンツの一部または全部を削除するように促すメッセージ画面を生成させる
ことを特徴とする請求項１記載の記録再生装置。
【請求項１３】
前記記録再生装置は、さらに、
前記第１の記録再生処理手段と前記第２の記録再生処理手段との記録又は再生に関して、あらかじめ前記操作入力手段から入力された予約スケジュールを保持するスケジュール保持手段と、
前記制御手段の制御に従って、メッセージ画面を生成する画像生成手段とを備え、
前記制御手段は、前記ダビング予約命令の予約時刻として、ダビング終了時刻が前記操作入力手段から入力されたとき、当該ダビングに要する時間を算出し、受け付けられた前記ダビング終了時刻と、算出された前記ダビングに要する時間とから、前記ダビングの実行時間の一部又は全部が、前記スケジュール保持手段に保持されている予約スケジュールのいずれかの実行時間と重複するか否かを判定し、重複すると判定した場合には、（１）重複する旨のメッセージ画面を生成する前記画像生成手段の制御と、（２）重複した前記予約スケジュールの実行とダビングの実行との調整との少なくとも一方を行なう
ことを特徴とする請求項１記載の記録再生装置。
【請求項１４】
映像音響コンテンツの記録再生を行う記録再生方法であって、
第１の記録媒体に対して、映像音響コンテンツの記録再生を行う第１の記録再生ステップと、
第２の記録媒体に対して、映像音響コンテンツの記録再生を行う第２の記録再生ステップと、
ユーザから、映像音響コンテンツの記録又は再生に関する指示を受け付ける操作入力ステップと、
前記第１の記録再生処理ステップと前記第２の記録再生処理ステップとを用いた、前記第１の記録媒体から前記第２の記録媒体への映像音響コンテンツのダビング予約命令が前記操作入力ステップで入力されたとき、前記第２の記録媒体最大記録速度と前記映像音響コンテンツの容量とに応じて、当該ダビングに要する時間を算出する制御ステップとを含み、
前記制御ステップでは、さらに、前記ダビングにおいて、前記第１の記録再生処理ステップと前記第２の記録再生処理ステップとを制御して、前記第１の記録媒体から映像音響コンテンツを前記第２の記録媒体に移動して前記第１の記録媒体に録画のための空き容量を作り、
前記制御ステップでは、さらに、前記第１の記録媒体から前記第２の記録媒体へのダビングに、トランスコードが必要か否かを判断し、トランスコードの必要があれば、前記トランスコードに要する変換時間に応じて、前記ダビングに要する時間を算出する
ことを特徴とする記録再生方法。
【請求項１５】
映像音響コンテンツの記録再生を行う記録再生装置のためのプログラムであって、コンピュータに、
第１の記録媒体に対して、映像音響コンテンツの記録再生を行う第１の記録再生ステップと、
第２の記録媒体に対して、映像音響コンテンツの記録再生を行う第２の記録再生ステップと、
ユーザから、映像音響コンテンツの記録又は再生に関する指示を受け付ける操作入力ステップと、
前記第１の記録再生処理ステップと前記第２の記録再生処理ステップとを用いた、前記第１の記録媒体から前記第２の記録媒体への映像音響コンテンツのダビング予約命令が前記操作入力ステップで入力されたとき、前記第２の記録媒体の最大記録速度と前記映像音響コンテンツの容量とに応じて、当該ダビングに要する時間を算出する制御ステップとを実行させ、
前記制御ステップでは、さらに、前記ダビングにおいて、前記第１の記録再生処理ステップと前記第２の記録再生処理ステップとを制御して、前記第１の記録媒体から映像音響コンテンツを前記第２の記録媒体に移動して前記第１の記録媒体に録画のための空き容量を作り、
前記制御ステップでは、さらに、前記第１の記録媒体から前記第２の記録媒体へのダビングに、トランスコードが必要か否かを判断し、トランスコードの必要があれば、前記トランスコードに要する変換時間に応じて、前記ダビングに要する時間を算出する
ことを特徴とするプログラム。
【請求項１６】
映像音響コンテンツの記録再生を行う記録再生装置を実装する集積回路であって、
第１の記録媒体に対して、映像音響コンテンツの記録再生を行う第１の記録再生処理手段と、
第２の記録媒体に対して、映像音響コンテンツの記録再生を行う第２の記録再生処理手段と、
ユーザから、映像音響コンテンツの記録又は再生に関する指示を意味する信号を入力する入力端子と、
前記第１の記録再生処理手段と前記第２の記録再生処理手段とを用いた、前記第１の記録媒体から前記第２の記録媒体への映像音響コンテンツのダビング予約命令が前記操作入力手段から入力されたとき、前記第２の記録媒体の最大記録速度と前記映像音響コンテンツの容量とに応じて、当該ダビングに要する時間を算出する制御手段とを備え、
前記制御手段は、前記ダビングにおいて、前記第１の記録再生処理手段と前記第２の記録再生処理手段とを制御して、前記第１の記録媒体から映像音響コンテンツを前記第２の記録媒体に移動して前記第１の記録媒体に録画のための空き容量を作り、
前記制御手段は、さらに、前記第１の記録媒体から前記第２の記録媒体への前記ダビングに、トランスコードが必要か否かを判断し、トランスコードの必要があれば、前記トランスコードに要する変換時間に応じて、前記ダビングに要する時間を算出する
ことを特徴とする集積回路。
【発明の詳細な説明】
【技術分野】
【０００１】
本発明は、記録媒体に記録された映像音響データ等を他の記録媒体にダビングする機能を有する記録再生装置に関するものである。
【背景技術】
【０００２】
近年、複数の記録再生手段を有するビデオ録画機が広く普及し始めている。ハードディスク（ＨＤＤ）と記録型ＤＶＤを有しているビデオ録画機はその代表例である。このような機器では、まずＨＤＤに番組を記録して視聴した後、残したい番組をＤＶＤにダビングするという使い方ができる（例えば、非特許文献１参照）。
【非特許文献１】ソニー株式会社  DVDレコーダー  RDR-HX10、RDR-HX8 ユーザマニュアル  67〜71ページ（2003年）
【発明の開示】
【発明が解決しようとする課題】
【０００３】
しかしながら、上記従来のビデオ録画機では、ＨＤＤに記録された番組をＤＶＤにダビングしている最中は、それ以外の処理ができなくなる。例えば、ダビング開始後に、録画予約の開始時刻になった場合など、ダビングしている最中は、放送中の番組を録画することができないといった課題を有している。さらに、録画予約等がされていない空き時間に、ダビングが実行されるようタイマー予約する場合でも、ダビングに要する時間を正確に計算することができないため、予想外にダビングに時間がかかった場合、直後に予約されていた番組録画の開始を妨げてしまうという課題を有している。
【０００４】
本発明は上記従来の課題を解決するものであり、放送中の番組の録画処理等を妨げることなくより確実にダビングを行うことができる記録再生装置を提供することを目的とする。
【課題を解決するための手段】
【０００５】
この課題を解決するために、本発明の一形態に係る記録再生装置は、映像音響コンテンツの記録再生を行う記録再生装置であって、第１の記録媒体に対して、映像音響コンテンツの記録再生を行う第１の記録再生処理手段と、第２の記録媒体に対して、映像音響コンテンツの記録再生を行う第２の記録再生処理手段と、ユーザから、映像音響コンテンツの記録又は再生に関する指示を受け付ける操作入力手段と、前記第１の記録再生処理手段と前記第２の記録再生処理手段とを用いた、前記第１の記録媒体から前記第２の記録媒体への映像音響コンテンツのダビング予約命令が前記操作入力手段から入力されたとき、前記第２の記録媒体の最大記録速度と前記映像音響コンテンツの容量とに応じて、当該ダビングに要する時間を算出する制御手段とを備え、前記制御手段は、前記ダビングにおいて、前記第１の記録再生処理手段と前記第２の記録再生処理手段とを制御して、前記第１の記録媒体から映像音響コンテンツを前記第２の記録媒体に移動して前記第１の記録媒体に録画のための空き容量を作り、前記制御手段は、さらに、前記第１の記録媒体から前記第２の記録媒体への前記ダビングに、トランスコードが必要か否かを判断し、トランスコードの必要があれば、前記トランスコードに要する変換時間に応じて、前記ダビングに要する時間を算出する。
また、本発明の他の形態に係る記録再生装置は、映像音響コンテンツの記録再生を行う記録再生装置であって、第１の記録媒体に対して、映像音響コンテンツの記録再生を行う第１の記録再生処理手段と、第２の記録媒体に対して、映像音響コンテンツの記録再生を行う第２の記録再生処理手段と、ユーザから、映像音響コンテンツの記録又は再生に関する指示を受け付ける操作入力手段と、前記第１の記録再生処理手段と前記第２の記録再生処理手段とを用いた、前記第１の記録媒体から前記第２の記録媒体への映像音響コンテンツのダビング予約命令が前記操作入力手段から入力されたとき、前記第２の記録媒体に応じて、当該ダビングに要する時間を算出する制御手段とを備える。
【発明の効果】
【０００６】
以上の様に、本発明の記録再生装置は、第1の記録媒体に記録された映像音響コンテンツを第2の記録媒体にダビングする際に、第２の記録媒体に応じてダビング処理を行う時間を計算する。従って、第２の記録媒体の記録速度を正確に計算することができ、より正確なダビング時間を計算することができる。このような処理により空き時間を利用して支障なくダビング処理を行うことができ、放送中の番組の録画処理等を妨げることなくダビングを行うことができるため、その実用的価値が高い。
【発明を実施するための最良の形態】
【０００７】
以下、本発明の実施の形態について、図1から図１３を用いて説明する。
【０００８】
（実施の形態1）
図1は、本発明の記録再生装置の一構成例を示す記録再生装置100のブロック図である。記録再生装置100は、ユーザに指定された映像音響コンテンツを、第１の記録媒体から第２の記録媒体にダビングするのに要する時間を計算し、あらかじめ指定された他の動作のスケジュール（例えば、録画予約）との時刻の重なりの有無に応じてダビングの処理を制御する機能を備えた記録再生装置であって、放送受信部101、通信受信部102、第１の記録再生処理部である記録再生処理部A103、第１の記録媒体である記録媒体A104、第２の記録再生処理部である記録再生処理部B105、第２の記録媒体である記録媒体B106、表示処理部107、画像生成部108、映像音響データ処理部109、制御部110、操作部111、スケジュール管理部112、及びタイマー部113を備える。
【０００９】
［記録時の処理］
記録再生装置100は、2種類の記録媒体を有しており（記録媒体A104、記録媒体B106）、これらの記録媒体に対して記録及び再生を行うことが可能である。例えば記録媒体としては、HDD等の磁気ディスク、DVD等の光ディスク、SDメモリ等のメモリカード、VHSやD-VHS等の磁気テープ、などがある。
【００１０】
放送受信部101、通信受信部102には、外部から放送データや通信データが入力される。例えば放送受信部101には、アナログ放送やディジタル放送の放送波が入力される。また通信受信部102には、インターネット回線や無線を通して通信波が入力される。これらの放送波や通信波には、映像音響コンテンツのデータやその補助コンテンツのデータ等が含まれているものとする。放送受信部101や通信受信部102に入力された放送波や通信波は、それぞれの受信部で復調処理等が施され、映像音響データ処理部109に入力される。
【００１１】
映像音響データ処理部109では、放送受信部101や通信受信部102から入力された映像音響データに対して処理を施す。映像音響データ処理部109では、記録媒体に記録するのに適したデータ形式に変換する処理を行うものとする。例えば、記録媒体にはMPEG-2のトランスポートストリームで記録を行う場合、映像音響データ処理部109に入力された映像音響データがアナログ信号である場合には（例えば放送受信部101でアナログ放送波を受信した場合）、A/D変換を施した後MPEG-2方式などで映像データと音響データの符号化を行い、符号化された映像音響データをトランスポートストリームに多重化し出力する。また、映像音響データ処理部109に入力された映像音響データがディジタル信号であるMPEG-2のトランスポートストリームである場合には（例えば放送受信部101でディジタル放送波を受信した場合）、処理を施さずにそのまま出力する。一般には、記録媒体によって記録に適した映像音響データの形式は異なる。記録媒体へ記録する際のデータ形式としては、MPEG-2トランスポートストリーム、MPEG-2プログラムストリーム、MP4フォーマット、独自フォーマット、等様々なデータ構造がある。ここでは、記録媒体Aへの映像音響データの記録形式はMPEG-2トランスポートストリームであるとし、記録媒体Aに映像音響データを記録するものとする。
【００１２】
映像音響データ処理部109で処理された映像音響データは、記録したい記録媒体に応じて記録再生処理部A103または記録再生処理部B105に入力される。すなわち、記録媒体A104に記録したい場合には記録再生処理部A103に入力され、記録媒体B106に記録したい場合には記録再生処理部B105に入力される。いずれに入力されるかは、制御部110により制御されるものとする。記録再生処理部A103、記録再生処理部B105では、入力された映像音響データに対して記録のための信号処理等を施して、記録媒体（記録媒体A104または記録媒体B106）に記録を行う。ここでは記録媒体Aに映像音響データを記録する場合を想定しているので、映像音響データは記録再生処理部A103を通して記録媒体A104に記録される。
【００１３】
［再生時の処理］
記録媒体A104に記録された映像音響データを再生する場合、記録媒体A104から再生された信号は記録再生処理部A103に対して入力される。そして、記録再生処理部A103で信号処理等を施された後、MPEG-2トランスポートストリームとなって映像音響データ処理部109に入力される。
【００１４】
映像音響データ処理部109では、入力されたデータに対して、出力（映像表示、オーディオ再生）のための処理を行う。ここでは、MPEG-2トランスポートストリームが入力されているので、トランスポートストリームから映像とオーディオのエレメンタリーストリームを取り出し、それぞれに対して復号処理を行う。このようにして生成された映像信号と音響信号は表示処理部107に入力され、表示処理部107から外部機器（映像信号に対してはテレビやPCモニタ等、音響信号に対してはスピーカ等。ただし図示せず）に対して出力される。映像音響データ処理部109では、映像音響データの形式がMPEG-2トランスポートストリーム以外の形式である場合、その形式に適した処理を行うものとする。
【００１５】
［ダビング時の処理］
記録媒体A104に記録されたデータを記録媒体B106にダビングする場合の処理について説明する。
【００１６】
記録媒体A104から再生された信号は記録再生処理部A103に対して入力される。そして、記録再生処理部A103で信号処理等を施された後、MPEG-2のトランスポートストリームとなって映像音響データ処理部109に入力される。
【００１７】
映像音響データ処理部109では、入力されたデータに対して、記録媒体B106への記録に適した構造への変換を行う。ここでは、記録媒体B106には、MPEG-2のプログラムストリームで記録を行うものとする。この場合、映像音響データ処理部109では、MPEG-2のトランスポートストリームをMPEG-2のプログラムストリームに変換し出力する。出力されたデータは、記録再生処理部B105に入力される。記録再生処理部B105では、入力された映像音響データに対して記録のための信号処理等を施して、記録媒体B106に記録を行う。
【００１８】
ただし、記録媒体Aと記録媒体Bの記録形式が同じ場合には、映像音響データ処理部109では処理を行わずに、入力された映像音響データをそのまま出力する。
【００１９】
また、上記の例のようなシステムストリーム形式の変更だけではなく、エレメンタリーストリーム形式の変更（例えばMPEG-2方式からMPEG-4方式への変更）を行う場合や、ビットレートや画像サイズの変更を行う場合には、エレメンタリーストリームレベルでの変換処理を行う。
【００２０】
また、ダビング方法が「移動（ムーブ）」である場合（ユーザによって明示的に「移動」であると指定されている場合や、コンテンツのコピー制御のために「移動」しかできない場合）には、ダビング終了後にダビング元の記録媒体に記録されたコンテンツを削除すればよい。
【００２１】
［ダビング予約時の処理］
記録再生装置100で、ダビングを実施する時間の予約を行う場合の処理方法について説明する。ここでのダビングとは、映像音響データのコピー（複写）だけでなくムーブ（移動）を含むものとする。図2は、ユーザからダビング予約の操作を受け付ける時の処理手順を示すフローチャートである。
【００２２】
記録再生装置100がユーザからダビング予約の操作を受け付ける際にはメニュー画面が表示され、ユーザはそのメニュー画面上で予約処理を行う。メニュー画面は制御部110からの制御により画像生成部108で生成され、表示処理部107を介して外部表示装置（テレビやPCモニタ等、図示せず）に出力される。
【００２３】
メニュー画面の例を図3(a)に示す。図3(a)は、記録媒体A104に記録されているコンテンツ（番組）の情報を示す場合の表示例である。コンテンツの情報は、記録媒体A104に管理情報として記録されているものとする。この管理情報が、記録媒体A104から再生され、それが記録再生処理部A103を通して制御部110に入力される。制御部110では、管理情報からコンテンツの情報を抽出して、画像生成部108にメニュー画面を生成するように命令を出し、画像生成部108では図3(a)のメニュー画面を生成して、表示処理部107を介して出力する（S201）。各コンテンツに対しては、タイトル、録画日（記録日時）、記録時間、録画モード（記録モード）、等の情報が表示され、ユーザはこの中からダビングを行いたいコンテンツを選択する。選択は、操作部111を介して行う。この操作部111は、リモコン、機器上のボタン、キーボード、ケーブルやネットワークを介して接続されたPC等であり、有線で接続される場合もあれば無線で接続される場合もある。操作部111を介してユーザによりコンテンツが選択されると、どのコンテンツを選択したかの情報は操作部111を介して制御部110に入力される（S202）。そして、ダビングしたいコンテンツを選択すると、制御部110は画像生成部108にメニュー画面を生成するように命令を出し、画像生成部108では図3(b)のメニュー画面を生成して、表示処理部107を介して出力する（S203）。図3(b)は、コンテンツのダビング先と、ダビング処理の予約時間を入力するためのメニュー画面例である。ここでは、コンテンツが記録されている記録媒体A104以外の記録媒体としては記録媒体B106のみであるので、ダビング先としては記録媒体Bが指定される。どの記録媒体を選択したかの情報は操作部111を介して制御部110に入力される（S204）。予約時間は、図3(a)で指定したコンテンツのダビングを開始する時間を指定する。予約時間をいつに設定したかの情報は操作部111を介して制御部110に入力される（S205）。
【００２４】
入力内容（選択されたコンテンツ、ダビング先、予約時間）は操作部111を介して制御部110に入力され、スケジュール管理部112に保持される（S206）。
【００２５】
また更には、スケジュール管理部112で既に放送/通信番組の録画予約を保持している場合には、制御部110において番組録画予約スケジュールとダビング録画予約スケジュールとを比較し（S207）、番組録画を実施する時間とダビングを実施する時間とに重なりがある場合、その旨を画像または音声を用いてユーザに対して提示する（S208）。実施時間に重なりがあるかどうかは、番組録画の開始時間から終了時間までと、ダビングの開始時間から終了時間までを比較すれば良い。ダビングに必要な時間は、ダビング時にコンテンツをどのような形式に変換するかにより一般に異なる。例えば、形式の変換が不要である場合には、記録媒体に対する記録再生速度が支配的な要因となる。また、形式の変換が必要である場合には、システムストリームレベルの変換（例えば、トランスポートストリームをプログラムストリームに変換する場合など）よりも、エレメンタリーストリームレベルの変換（例えば、MPEG-2方式とMPEG-4方式の変換や、ビットレート、画像サイズ等の変換）の変換時間の方が長くなるため、それによりダビング時間も長くなる。制御部110では、どのような変換の時にどれぐらいの時間がかかるかの情報を有しており、それによりダビングにかかる予想時間を求めることができる。
【００２６】
さらに、ダビングに要する時間は、リムーバブルな記録媒体の記録速度にも影響される。すなわち、ダビングに要する時間は、何倍速の記録媒体B106を記録再生処理部B105に挿入したか、または、記録再生処理部B105が何倍速までサポートしているかによって変わってくる。例えば、ダビング予約の後に録画予約が入っている場合に、４倍速の記録媒体ならダビングを実行する時間と録画を行なう時間とが重ならないのに、２倍速の記録媒体だとダビング実行中に予約による録画の開始時刻が来てしまう場合がある。このため、本実施の形態では、制御部110はまず、記録再生処理部B105に記録媒体B106の最大記録速度を記録媒体から読み出すよう制御する。図４（ａ）、（ｂ）及び（ｃ）は、記録媒体B106の情報領域内のデータ構造を示す図である。図５は、記録媒体の記録速度が番号で表されたテーブルの一例を示す図である。図６は、制御部110によるダビング時間計算手順の一例を示すフローチャートである。図４（ａ）は、ディスクの断面を示しており、断面左端がディスクの回転中心である。記録再生処理部B105は、ディスクの内周側にあるLead-in領域から制御情報を読み出す。このLead-in領域には、図４（ｂ）に示すように、制御データゾーンが設けられている。図４（ｃ）に示すように、この制御データゾーンの中に、記録媒体B106の最大記録速度と最小記録速度とが記録されている。記録再生処理部B105は、この制御データゾーンから、記録媒体B106の最大記録速度を読み出す。図５のこのテーブルは、図１に示した制御部110に格納されている。一般的に、記録媒体の最小記録速度はテーブルの「0」で表される1倍速である。ＤＶＤの場合、1倍速は10.08Mbpsである。制御部110は、記録再生処理部B105から入力された管理情報と、このテーブルを参照することにより、記録媒体B106の最大記録速度を知ることができる（S1101）。
【００２７】
さらに、制御部110は、ダビングする映像音響コンテンツの容量を計算し、その映像音響コンテンツのビットレート及び再生時間長を計算する(S1102)。次いで、制御部110は、ステップS1101で得られた記録媒体B106の最大記録速度と、ステップS1102で得られた映像音響コンテンツの容量とから、ダビング時間Ｔ１を算出する(S1103)。また、制御部110は、記録媒体A104から記録媒体B106へのダビングに、何らかのトランスコードが必要か否かを判断し(S1104)、トランスコードの必要がなければ、ダビング時間Ｔ＝Ｔ１とし(1107)、ダビング所要時間をＴに設定する(S1108)。記録媒体A104から記録媒体B106へのダビングに、何らかのトランスコードが必要か否かを判断し(S1104)、トランスコードの必要があれば、トランスコードに要する変換時間Ｔ２を計算する(S1105)。次いで、制御部110は、ダビング時間Ｔ１が変換時間Ｔ２以上であれば、ダビング所要時間Ｔ＝Ｔ１とし、ダビング時間Ｔ１が変換時間Ｔ２未満であれば、ダビング所要時間Ｔ＝Ｔ２とする(S1108)。このように記録媒体B106の最大記録速度を考慮してダビング所要時間を計算することにより、制御部110は、記録媒体A104から記録媒体B106への正確なダビング時間を計算することができる。これにより、タイマー予約によるダビングに予想外の時間がかかったことを原因とする次の録画予約への障害を、精度よく防止することができる。
【００２８】
図７（ａ）、（ｂ）及び（ｃ）は、番組録画を実施する時間とダビングを実施する時間とに重なりがある場合、ユーザにその旨を通知する画像の一例を示す図である。また、ユーザに対する提示（S208）は、画像生成部118で図７(a)のような画像を生成し、表示処理部107を通して外部機器に出力すればよい。これは、番組録画の予約時間は変更できないため（放送/通信スケジュールにより決まっているため）であり、番組録画予約を優先するための処理である。またこの場合には、図７（ｂ）又は（ｃ）のような画面を表示して、同時にユーザに対して次にどのような処理を実施するかを選択させるようにしても良い。次の処理候補としては、「番組録画予約の取り消し」、「ダビング予約時間の変更」等がある。この場合の画像生成部108が生成するメニュー画面例を図７(b)に示す。このような処理を行うことにより、ユーザは他の時間を指定することが可能となる。また、放送/通信番組の録画予約以外にも、外部入力（外部機器からの映像音響コンテンツ入力）に対する録画予約を行う機能を有している場合にも、同様の処理を施すことができる。さらに、表示の他の例として、制御部110は、番組録画を実施する時間とダビングを実施する時間とに重なりがある場合、メニュー画面（図示せず）に、「同じ時間に番組録画予約が入っています。現在挿入されているｍ倍速の記録媒体へのダビング完了時刻は、○○時○○分○○秒です。ｎ倍速の記録媒体なら番組録画開始前にダビングを完了することができます。」などの表示を行うとしてもよい。
【００２９】
また、制御部110がスケジュール管理部112に既に保持されている予約スケジュールを参照して空き時間を求め、それによりダビング実施時間を決定するようにしても良い。図２のフローチャートにおいて、記録再生装置100側でダビング予約時間を決定する場合の処理の流れを破線で示している。この処理は、ダビング予約時にユーザがダビング開始時間を入力する代わりに図3(c)に示す画面の「自動」ボタンをクリックすることによって行っても良いし（S209）、ダビング予約時にユーザから入力された予約時間が他の予約時間と重なっている時に行っても良い（S210）。このような処理を用いることにより、ユーザによる時間指定の負担を減らすことができ、かつスケジューリングに柔軟性を持たせることができる。またこの場合、制御部110は明示的なダビング実施時間の入力をユーザに求めるのではなく、「空き時間に実行する」、「○○日○○時までの空き時間に実行する」というような選択肢の選択を受け付けるようにしても良い。このような処理を用いることにより、更にダビングのスケジューリングに柔軟性を持たせることができる。
【００３０】
図８（ａ）及び（ｂ）は、ダビング予約後に番組録画予約が入力された場合、表示されるメッセージの一例を示す図である。また制御部110では、ダビング予約完了後に放送/通信の録画予約が入力され、その録画予約がダビング予約の実施時間と重なる場合には、その旨をユーザに通知する、更には、その旨をユーザに通知してダビング予約の時間変更、または取り消しを促すメッセージを表示する（図８(a)、図８(b)）、という処理を行っても良い。
【００３１】
図９（ａ）及び（ｂ）は、ダビング予約時に記録媒体B106が挿入されていない場合、ユーザに記録媒体B106の挿入を促すメッセージの一例を示す図である。また制御部110では、ダビング予約時にダビング先の記録媒体の有無を検査し（S211）、ダビング先に記録媒体が無い場合には、その旨をユーザに通知してダビング予約を取り消したり（図９(a)）、または、その旨をユーザに通知して記録媒体を装填するように促すメッセージを表示したりする（図９(b)）、という処理を行っても良い。ここで記録媒体の装填は、即座に行うように促しても良いし、ダビング予約の開始時刻までに行うように促しても良い。
【００３２】
また制御部110では、ダビング予約時にダビング先の記録媒体（記録媒体B106）が記録されるコンテンツに適した方法でフォーマットされているかを検査し、記録媒体がフォーマットされていない場合には、その旨をユーザに通知してダビング予約を取り消したり、または、その旨をユーザに通知して記録媒体をフォーマットするように促すメッセージを表示したりする、という処理を行っても良い。図１０は、本発明の記録再生装置においてダビング予約時に記録媒体Bがフォーマットされていなかった場合の表示画面の一例を示す図である。ここで記録媒体のフォーマットは、即座に行うように促しても良いし、ダビング予約の開始時刻までに行うように促しても良い。
【００３３】
図１１は、本発明の記録再生装置においてダビング予約時に記録媒体Bに記録されているコンテンツの全部又は一部を削除するようユーザを促す表示画面の一例を示す図である。図１２（ａ）及び（ｂ）は、記録媒体B106の空き容量がダビングに必要な容量に満たない場合に表示されるメッセージの一例を示す図である。また制御部110では、ダビング予約時にダビング先の記録媒体の残量を検査し（S212）、ダビング先の記録媒体の残量がダビングに必要な容量に満たない場合には、その旨をユーザに通知してダビング予約を取り消したり（図１２ (a)）、または、その旨をユーザに通知して他の記録媒体を装填するように促すメッセージを表示したり（図１２ (b)）、ダビング先の記録媒体に記録されているコンテンツを表示し、それらのコンテンツの一部または全部を削除するように促すメッセージを表示する、という処理を行っても良い。
【００３４】
スケジュール管理部112では、ダビング予約のスケジュールを管理し、タイマー部113から時刻を取得して予約時間になると、ダビング処理を開始する。ダビング方法については上記で説明した方法と同様であるので、ここでは説明を割愛する。
【００３５】
図１３（ａ）及び（ｂ）は、ダビングが正常に終了したか否かを表示するメッセージの一例を示す図である。ダビングが正しく完了すると、制御部110ではその旨を示すメッセージを生成するように画像生成部108を制御し、生成されたメッセージが表示処理部107を介して出力される（図１３ (a)）。また、何らかの原因でダビング処理が正しく完了できなかった場合には、制御部110ではその旨を示すメッセージを生成するように画像生成部108を制御し、生成されたメッセージが表示処理部107を介して出力される（図１３ (b)）。ダビング処理が正しく完了できない原因としては、ダビング開始時にダビング元のコンテンツが削除されている、ダビング開始時にダビング先の記録媒体が装填されてない、ダビング先の記録媒体の空き容量が足りない、ダビング中に記録エラーが生じてそのエラーから復帰できなかった、等がある。上記実施の形態では、ダビング先の記録媒体が装填されていない場合及びダビング先の記録媒体の空き容量が足りない場合については、その旨をユーザに通知する画面を表示した。また、これに加えて、スケジュール管理部112は、ダビング予約がすでにされている予約中の映像音響コンテンツを、ダビング元の記録媒体から削除すべき旨の指示が入力されたときには、内部に記憶しているダビング予約の一覧を参照して確認した上、例えば、「このコンテンツは、現在ダビング予約中です。削除できません。」などの警告文を画面に表示するようにしてもよい。
【００３６】
なお、上記実施の形態では、例えば、図３（ｂ）及び（ｃ）のように「予約時刻」としてダビング開始時刻をユーザが入力するようにしたが、これに限らず、例えば、ダビング終了時刻をユーザが指定できるようにしてもよい。なお、この場合、ユーザが入力したダビング終了時刻の少し前に番組録画予約が設定されているとき、制御部110は、予約されている番組録画の終了後にダビングを開始して、なおかつ、ユーザが指定したダビング終了時刻までにそのダビングを終了できるか否かを判定する。ここで、制御部110は、ユーザが指定したダビング終了時刻までにダビングを終了できないと判定した場合、例えば、「現在挿入されているｍ倍速の記録媒体へのダビング完了時刻は、○○時○○分○○秒です。ｎ倍速の記録媒体なら○○時○○分○○秒にダビングを完了することができます。」などの表示を行うとしてもよい。また、別の方法として、制御部110は、スケジュール管理部112を検索して、現在時刻から、予約されたダビング終了時刻までの間で、映像音響コンテンツのダビング所要時間より長い空き時間を調べ、あれば、その空き時間にダビング予約を設定するようにしてもよい。
【００３７】
このように、ユーザがダビング終了時刻を指定できるようにしておけば、（１）ユーザは、映像音響コンテンツがダビングされたリムーバブル記録媒体B106を、所望の時刻に取り出して持ち運ぶことができる。（２）また、記録媒体A104(HDなど)の空き容量が少なくなっていて、もはや記録媒体A104に新たな番組を録画する余裕がなくなってしまっている場合、一般に、記録媒体A104からコンテンツを記録媒体B106(DVD, BD等の光ディスクやSD等の半導体メモリ)へ移動して記録媒体A104に空き容量を作っておくことが考えられる。この場合、あらかじめ番組録画予約した時刻が分かっていれば、その時刻をダビング終了時刻として指定しておくことによって、ユーザは予約した番組を確実に録画することができるという効果がある。
【００３８】
なお、上記の実施の形態では、記録媒体A104と記録媒体B106の2つの記録媒体を有している場合について説明したが、記録媒体は3つ以上であっても良い。
【００３９】
また、本発明の実施はハードウェアによる実施に限定されるものではなく、コンピュータ上のプログラムとして記録再生処理することも可能である。
【００４０】
また、本発明はかかる上記実施形態に限定されるものではなく、本発明の範囲を逸脱することなく種々の変形または修正が可能である。
【００４１】
なお、ブロック図（図１）の各機能ブロックは、記録媒体A104、記録媒体B106、及び操作部111を除いて、典型的には集積回路であるLSIとして実現される。これらは個別に１チップ化されても良いし、一部又は全てを含むように１チップ化されても良い。
【００４２】
（例えばメモリ以外の機能ブロックが１チップ化されていても良い。）
ここでは、LSIとしたが、集積度の違いにより、ＩＣ、システムＬＳＩ、スーパーＬＳＩ、ウルトラＬＳＩと呼称されることもある。
【００４３】
また、集積回路化の手法はLSIに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサー を利用しても良い。
【００４４】
さらには、半導体技術の進歩又は派生する別技術によりLSIに置き換わる集積回路化の技術が登場すれば、当然、その技術を用いて機能ブロックの集積化を行ってもよい。バイオ技術の適応等が可能性としてありえる。
【００４５】
また、各機能ブロックのうち、符号化または復号化の対象となるデータを格納する手段だけ１チップ化せずに別構成としても良い。
【産業上の利用可能性】
【００４６】
本発明にかかる記録再生装置は、第1の記録媒体に記録されたコンテンツを第2の記録媒体にダビングする記録再生装置として有用である。
【図面の簡単な説明】
【００４７】
【図１】図１は、本発明の記録再生装置の構成を示すブロック図である。（実施の形態1）
【図２】図２は、本発明の記録再生装置におけるダビング予約時の処理内容を説明するためのフローチャートである。（実施の形態1）
【図３】図３は、本発明の記録再生装置におけるダビング予約時の処理内容を説明するための模式図である。（実施の形態1）
【図４】図４（ａ）、（ｂ）及び（ｃ）は、記録媒体の情報領域内のデータ構造を示す図である。（実施の形態１）
【図５】図５は、記録媒体の記録速度が番号で表されたテーブルの一例を示す図である。（実施の形態１）
【図６】図６は、制御部によるダビング時間計算手順の一例を示すフローチャートである。（実施の形態１）
【図７】図７は、本発明の記録再生装置におけるダビング予約時の処理内容を説明するための模式図である。（実施の形態1）
【図８】図８は、本発明の記録再生装置におけるダビング予約時の処理内容を説明するための模式図である。（実施の形態1）
【図９】図９は、本発明の記録再生装置におけるダビング予約時の処理内容を説明するための模式図である。（実施の形態1）
【図１０】図１０は、本発明の記録再生装置においてダビング予約時に記録媒体Bがフォーマットされていなかった場合の表示画面の一例を示す図である。（実施の形態１）
【図１１】図１１は、本発明の記録再生装置においてダビング予約時に記録媒体Bに記録されているコンテンツの全部又は一部を削除するようユーザを促す表示画面の一例を示す図である。（実施の形態１）
【図１２】図１２は、本発明の記録再生装置におけるダビング予約時の処理内容を説明するための模式図である。（実施の形態1）
【図１３】図１３は、本発明の記録再生装置におけるダビング予約時の処理内容を説明するための模式図である。（実施の形態1）
【符号の説明】
【００４８】
１０１  放送受信部
１０２  通信受信部
１０３、１０５  記録再生処理部
１０４、１０６  記録媒体
１０７  表示処理部
１０８  画像生成部
１０９  映像音響データ処理部
１１０  制御部
１１１  操作部
１１２  スケジュール管理部
１１３  タイマー部
【図１】
0004733044.tif 000002
【図２】
0004733044.tif 000003
【図３】
0004733044.tif 000004
【図４】
0004733044.tif 000005
【図５】
0004733044.tif 000006
【図６】
0004733044.tif 000007
【図７】
0004733044.tif 000008
【図８】
0004733044.tif 000009
【図９】
0004733044.tif 000010
【図１０】
0004733044.tif 000011
【図１１】
0004733044.tif 000012
【図１２】
0004733044.tif 000013
【図１３】
0004733044.tif 000014